(57)【要約】【課題】農作物へのカドミウムの吸収抑制効果に一段と優れた農業資材を提供する。【解決手段】軽焼マグネシアと、リン酸又はその塩と、石灰窒素とを含有する組成物からなる農業資材。本発明においては、（１）軽焼マグネシアが炭酸マグネシウムの７００〜９００℃の焼成物であること、（２）リン酸又はその塩がリン酸、リン酸ソーダ及びリン酸カルシウムから選ばれた少なくとも１種であること、（３）有機酸又はその塩を更に含んでいること、（４）有機酸又はその塩がリグニンスルホン酸、クエン酸、グルコン酸及びこれらの酸のナトリウム塩から選ばれた少なくとも１種であること、（５）含有率が、軽焼マグネシアが６０〜９０質量％、リン酸又はその塩がＰ２Ｏ５として０．５〜１５質量％、石灰窒素が５〜４０質量％、有機酸又はその塩が６質量％以下（０％を含む）であること、から選ばれた少なくとも一つの実施態様を有していることが好ましい。【選択図】なし【特許請求の範囲】
【請求項１】
軽焼マグネシアと、リン酸又はその塩と、石灰窒素とを含有する組成物からなる農業資材。
【請求項２】
軽焼マグネシアが、炭酸マグネシウムの７００〜９００℃の焼成物である請求項１に記載の農業資材。
【請求項３】
リン酸又はその塩が、リン酸、リン酸ソーダ及びリン酸カルシウムから選ばれた少なくとも１種である請求項１又は２に記載の農業資材。
【請求項４】
有機酸又はその塩を更に含んでなる請求項１〜３のいずれかに記載の農業資材。
【請求項５】
有機酸又はその塩が、リグニンスルホン酸、クエン酸、グルコン酸及びこれらの酸のナトリウム塩から選ばれた少なくとも１種である請求項４に記載の農業資材。
【請求項６】
含有率が、軽焼マグネシアが６０〜９０質量％、リン酸又はその塩がＰ２Ｏ５として０．５〜１５質量％、石灰窒素が５〜４０質量％、有機酸又はその塩が６質量％以下（０％を含む）であることを特徴とする請求項１〜５のいずれかに記載の農業資材。
【発明の詳細な説明】
【技術分野】
【０００１】
本発明は農業資材に関する。
【背景技術】
【０００２】
カドミウムを比較的多く含有している農耕地において、水稲、野菜等の農作物を栽培しなければならない場合には、農作物へのカドミウムの吸収を如何にして抑制させるかに関心が集まっている。従来、水稲栽培においては、水田の水管理と石灰窒素の使用とによって解決する方法が提案（特許文献１）されているが、まだ改善の余地があった。
【特許文献１】特許第３６８８２７４号公報
【発明の開示】
【発明が解決しようとする課題】
【０００３】
本発明の目的は、農作物へのカドミウムの吸収抑制効果に一段と優れた農業資材を提供することである。
【課題を解決するための手段】
【０００４】
本発明は、軽焼マグネシアと、リン酸又はその塩と、石灰窒素とを含有する組成物からなる農業資材である。本発明においては、（１）軽焼マグネシアが炭酸マグネシウムの７００〜９００℃の焼成物であること、（２）リン酸又はその塩がリン酸、リン酸ソーダ及びリン酸カルシウムから選ばれた少なくとも１種であること、（３）有機酸又はその塩を更に含んでいること、（４）有機酸又はその塩がリグニンスルホン酸、クエン酸、グルコン酸及びこれらの酸のナトリウム塩から選ばれた少なくとも１種であること、（５）含有率が、軽焼マグネシアが６０〜９０質量％、リン酸又はその塩がＰ２Ｏ５として０．５〜１５質量％、石灰窒素が５〜４０質量％、有機酸又はその塩が６質量％以下（０％を含む）であること、から選ばれた少なくとも一つの実施態様を有していることが好ましい。
【発明の効果】
【０００５】
農作物へのカドミウムの吸収抑制効果に一段と優れた農業資材が提供される。
【発明を実施するための最良の形態】
【０００６】
軽焼マグネシアは、リン酸又はその塩の存在下で水硬する性質を有し、農耕地に散布すると、土壌中に存在するカドミウムを捕獲固定する作用を持っている。軽焼マグネシアは、例えば中国遼寧省シュウエン地区に産出するマグネサイト(炭酸マグネシウム)や、海水中のニガリを原料とする海水マグネシア等を７００〜９００℃で焼成することによって製造することができるが、入手面から炭酸マグネシウムの７００〜９００℃の焼成物が好ましい。粒子径は平均粒径で０．０１〜０．３ｍｍが好ましい。
【０００７】
リン酸又はその塩は、軽焼マグネシアの水硬反応剤として機能する。これを例示すれば、リン酸、リン酸ソーダ、リン酸カルシウムなどである。リン酸ソーダには、メタリン酸ソーダ、酸性メタリン酸ソーダ、ピロリン酸ソーダ、酸性ピロ燐酸ソーダ、トリポリ燐酸ソーダなどがあり、リン酸カルシウムには、酸性リン酸カルシウム、リン酸２カルシウム、りん酸３カルシウム、リン酸カルシウム・マグネシウムなどがある。なかでも、リン酸、リン酸ソーダ及びリン酸カルシウムから選ばれた少なくとも１種であることが好ましい。これらのリン酸又はその塩を含む物質には、ようりん、過リン酸石灰、重過リン酸石灰などがあるのでこれを使用することもできる。入手面から「ようりん」が好ましい。「ようりん」とは、リン酸及び石灰を含むりん鉱石と、ケイ酸及びマグネシウムを含む例えば蛇紋岩との混合物を、１４００℃程度で溶融後冷却して製造されたリン酸肥料のことである。
【０００８】
石灰窒素は、一般に入手可能な石灰窒素で十分であり、カルシウムシアナミド（ＣａＣＮ２  ）を主成分とし、生石灰（ＣａＯ）、消石灰（Ｃａ（ＯＨ）２）、炭素（Ｃ）等を副成分とするさまざまな組成のものが知られているが、ＣａＣＮ２として４０質量％以上を含むものであればいずれも使用可能である。粒子径は、軽焼マグネシアと、リン酸又はその塩と、必要に応じて含有させる有機酸又はその塩とをあらかじめ混合しておくときは、平均粒径で０．０１〜０．３ｍｍが好ましい。一方、これらの成分を個々に、又は２成分以上を混合して施肥現場で土壌に散布する場合には特に制限はなく、平均粒径０．０１〜０．３ｍｍの粉状、平均粒径０．５〜４．０ｍｍの粒状のいずれも使用することができる。
【０００９】
軽焼マグネシアとリン酸又はその塩との水硬反応を遅延させることによって、カドミウムの捕獲効果を高めることができる。そのため、本発明においては、有機酸又はその塩からなる水硬反応遅延剤を用いることが好ましい。それを例示すれば、腐植酸、リグニンスルホン酸、クエン酸、酒石酸、グルコン酸、並びにこれらの酸のナトリウム塩、アンモニウム塩及びカルシウム塩などである。なかでも、リグニンスルホン酸、クエン酸、グルコン酸及びこれらの酸のナトリウム塩から選ばれた少なくとも１種であることが好ましい。
【００１０】
含有率は、軽焼マグネシアが６０〜９０質量％、リン酸又はその塩がＰ２Ｏ５として０．５〜１５質量％、石灰窒素が５〜４０質量％、有機酸又はその塩が６質量％以下（０％を含む）であることが好ましい。これらの成分で１００質量％にならないときには、例えば炭酸ナトリウム、重炭酸ナトリウム、炭酸アンモニウム、炭酸マグネシウム等の無機炭酸塩、例えば硫酸鉄、硫酸マグネシウム、硫酸アルミニウム、硫酸カルシウム等の無機硫酸塩、例えば高炉水砕スラグ、フライアッシュ等の石灰質物質、シリカ質物質など適宜配合して満たさせる。
【００１１】
本発明の農業資材の使用方法の一例を示すと、本発明の農業資材を土壌に散布する方法、軽焼マグネシアとリン酸又はその塩との混合物をあらかじめ調製しておき、それと石灰窒素を土壌に散布する方法などのように、本発明の農業資材を構成する成分を現場で土壌に散布する方法のいずれも可能である。使用量は、土壌１００（乾土換算）質量部に対し、石灰窒素を除く、軽焼マグネシアとリン酸又はその塩とを含む混合物（有機酸又はその塩を含んでもよい）からなる軽焼マグネシア粉末組成物を０．１〜０．５質量部、特に０．２〜０．４質量部であることが好ましい。軽焼マグネシア粉末組成物を構成している軽焼マグネシア以外の他の成分は、上記した好適割合に比例させることが好ましい。石灰窒素は、ＣａＣＮ２として０．０１〜０．１質量部、特に０．０１〜０．０４質量部が好ましい。
【実施例】
【００１２】
実施例１〜４  比較例１〜５
天然炭酸マグネシウムを、大気雰囲気下、８００℃で４時間焼成した後粉砕して軽焼マグネシア粉末（平均粒子径０．１ｍｍ）を製造した。また、市販のようりん（Ｐ２Ｏ５として２０質量％、平均粒子径０．１ｍｍ）、市販の重過リン酸石灰粉末（Ｐ２Ｏ５として４４質量％、平均粒子径０．１ｍｍ）、ヘキサメタリン酸ソーダ（Ｐ２Ｏ５含量６７質量％）、トリポリリン酸ソーダ（Ｐ２Ｏ５含量５７質量％）及び有機酸又はその塩（いずれも試薬）を準備した。これらを表１に示す割合で混合して軽焼マグネシア粉末組成物を調製した。一方、市販の粉状石灰窒素（ＣａＣＮ２５０質量％、平均粒子径０．１ｍｍ）を準備した。
【００１３】
市販の園芸用培土に硫酸カドミウムを添加し、カドミウム含量が０．５ｐｐｍ、１ｐｐｍ又は５ｐｐｍの人工汚染土壌とした。この人工汚染土壌の乾土換算１００質量部に対し、軽焼マグネシア粉末組成物と石灰窒素を表１に示す割合を混合した後、水を加えてポットミキサーで混合し、土壌のもつ最大容水量の水分を含ませた。これによって表２に示される組成の農業資材が土壌と混合されたことになる。これを合成樹脂製バットに入れて風乾し、砕土機、篩機を通過させ７ｍｍ全通とした。この土壌をプランターに移し、水を加えて最大容水量の６０％水分とした後、大豆（品種：タチナガハ）をプランター当たり１２粒播種し、間引き後６本として子実収穫まで栽培を行い、子実中のカドミウム含量を１規定塩酸抽出／原子吸光分析法（農業及び園芸、第７９巻第８号、中島：プロセス定量分析による大豆子実中カドミウムの定量）にて測定した。それらの結果を表２に示す。
【００１４】
【表１】
2008031333.tif 000002
【００１５】
【表２】
2008031333.tif 000003
【００１６】
実施例と比較例の対比から明らかなように、本発明の農業資材はカドミウムの吸収抑制効果に一段と優れていることがわかる。また、実施例１、２と実施例３，４との対比から、有機酸又はその塩を更に含ませることによって本発明の効果が助長されることがわかる。
【産業上の利用可能性】
【００１７】
本発明の農業資材は、肥料、土壌改良資材などとして使用することができる。